(57)【特許請求の範囲】
【請求項１】
浮動屋根に設けられたウエザーフードが傾斜して接するタンク側板位置より少なくとも上方のタンク側板位置と前記ウエザーフードの端部近傍位置との間を上部から覆って、浮動屋根とタンク側板間の隙間からの雨水の浸入を防止できる、吸水率が０．５％以下のゴムシート又はプラスチックフィルムの基材と該基材の裏面に設けた厚さが０．５〜５．０ｍｍ、針入度５０〜２５０ｍｍ、対スチール粘着力１．０〜１０ｋｇｆ／２５ｍｍ幅のシーラント層からなることを特徴とする浮動屋根形屋外貯蔵タンクの浮動屋根とタンク側板との間からのタンク内部への雨水の浸入を防止するウエザーフードテープ。
【請求項２】
基材がタンク内部への採光を妨げない程度の透明性を有し、かつ基材裏面に設けられるシーラント層が基材の一方の端部もしくは両端部にのみ基材の長手方向に対して連続的または間欠的に設けられた、タンク内部への採光が妨げられないものであることを特徴とする請求項１記載のウエザーフードテープ。
【請求項３】
浮動屋根に設けられたウエザーフードが傾斜して接するタンク側板位置から該位置より少なくとも上方のタンク側板位置までの間の汚れをあらかじめワイヤブラシ等で落とし、次いで当該部位に、ウエザーフードテープをタンク側板に貼着する際には該テープのプライマーとして働き、タンクの検査、掃除、修理等の作業経時後の該ウエザーフードテープの取り外しに際してはシーラント層と共にタンク側板より剥離するか、シーラント層をその界面から糊残りさせることなく剥離させるレリーズとして働く下塗り剤を塗布した後、請求項１または２に記載の裏面長手方向に連続的にシーラント層を有するウエザーフードテープの片側を貼着すると共に該テープのもう一方の片側をタンク側板に接するウエザーフードの端部近傍位置に垂れ下げ、要すれば垂れ下げた該テープをウエザーフードの端部近傍位置に連続的に又は間欠的に貼着して、上記少なくとも上方のタンク側板位置とウエザーフードの端部近傍位置との間を上部から覆い、浮動屋根形屋外貯蔵タンクのタンク側板と浮動屋根との間からのタンク内部への雨水の浸入を防止すると共にタンクの検査、掃除、修理等の作業終了後に当該部位から上記ウエザーフードテープを上記のように剥離することを特徴とするタンク内部への雨水浸入防止施工方法。
【請求項４】
請求項３の方法で用いるためのウエザーフードテープ用の下塗り剤であって、下塗り剤が、天然ゴム、合成天然ゴム又はＳＩＳ，ＳＢＳ，ＳＥＢＳ，ＳＩＢＳ等のスチレン系熱可塑性ゴム又はこれらのいずれか２種以上のブレンド物にアクリル酸樹脂をグラフト重合したプライマー１００重量部に対してオイル型シリコーン離型剤２０〜１重量部を添加した配合組成物であることを特徴とする下塗り剤。
【発明の詳細な説明】
【０００１】
【発明の属する技術分野】
この発明は、浮動屋根形屋外貯蔵タンクの浮動屋根とタンク側板との間からのタンク内部への雨水の浸入を防止するウエザーフードテープ及び該テープ用の下塗り剤並びに前記テープを用いたタンク内部への雨水侵入防止施工方法に関する。
詳しくは、浮動屋根とタンク側板との間をシールするウエザーシールを取り外しておく、検査、掃除、修理等のタンク使用停止期間中の該貯蔵タンクにあって、浮動屋根に取り付けられているウエザーフードとタンク側板との間の隙間からの雨水の浸入をウエザーフードテープを用いて防止し、タンク内部への雨水だまりを防ぐと共に、該ウエザーフードテープのタンク側板からの引き剥がしを容易にして、タンク使用停止期間の短縮化を図ろうとするものである。
【０００２】
【発明が解決しようとする課題】
従来、浮動屋根形の屋外貯蔵タンクにあっては、浮動屋根とタンク側板との間の隙間をシールする目的から、ウレタンゴムなどからなるウエザーシールが用いられている。また、このウエザーシールを保護する目的から、ウエザーフードが浮動屋根に取り付けられている。
【０００３】
しかしながら、該タンクの検査、掃除、修理等のタンク使用停止期間中は、通常ウエザーシールは取り外されている。このため、浮動屋根とタンク側板との間には隙間が生じ、雨天の時などはこの隙間から雨水が浸入し、タンク内部を水浸しにしてしまう。
【０００４】
これを防ぐには、浮動屋根とタンク側板との間の隙間を覆うことが必要である。そのために、幅広の市販の粘着テープによりタンク側板とウエザーフードとの間を目張りしてタンク内部への雨水の浸入を防止している。
【０００５】
しかし、この方法は、市販の粘着テープの粘着剤の厚さが普通最大でも０．１ｍｍ以下であり、かつ粘着力もほぼ１ｋｇ／２５ｍｍ幅以下（対ステンレス）であって、原油やスラッジが付着していたり、錆が発生しているタンク側板には容易に貼着することができないばかりか、仮に貼着できたとしても、吹き込んでくる風雨のために簡単に剥がされて飛ばされてしまう恐れがある。
【０００６】
次に、粘着剤を極端に厚くし、かつ粘着力をアップして貼着した場合は、上記の欠点は解消できるものの、タンクの工事が終了して粘着テープを剥がそうとする場合、今度は逆に粘着テープを容易に剥がすことができず、無理に剥がすと糊残りが生じ、この掃除のために余分な時間と労力と工賃を費やすという欠点を生じる。
【０００７】
この発明は上述の欠点を克服し、検査、掃除、修理等でのタンク使用停止期間中における浮動屋根形屋外貯蔵タンクの浮動屋根とタンク側板との間からタンク内部への雨水の浸入が防止できると共に、タンクの検査、掃除、修理等の作業終了後には当該貼着部位から該ウエザーフードテープを容易に引き剥がすことができて作業時間の短縮化が図れるウエザーフードテープを得ることを目的とする。
【０００８】
【課題を解決するための手段】
この発明は上記の課題を解決するために、ゴムシート又はプラスチックフィルムの基材と該基材裏面の少なくとも一方又は両側にゴムそして／又は熱可塑性樹脂を主成分とするシーラント層を有するウエザーフードテープを、あらかじめ該テープ用のプライム効果と経時的なレリーズ効果を合わせて有する下塗り剤を塗布したタンク側板に、要すれば該タンク側板に傾斜して接するウエザーフードに、貼着して浮動屋根とタンク側板との間の隙間を上から覆うという手段をとる。
【０００９】
【発明の実施の形態】
以下、本発明の実施の形態を図面に基づき説明する。
図１、図２、図３は異なる本発明ウエザーフードテープの実施態様を示す一部破断斜視図であって、図中１は本発明ウエザーフードテープ、２はゴムシート又はプラスチックフィルムからなる基材、２ａは基材２の一方の端部、２ｂは基材２の他方の端部、３は基材２の裏面の端部に設けたシーラント層、４は離型紙である。
図４は本発明ウエザーフードテープ１を取り付けた浮動屋根形屋外貯蔵タンク５の縦断面図である。
図５は本発明ウエザーフードテープ１を取り付けた浮動屋根形屋外貯蔵タンク５の部分拡大斜視図であって、図中６はタンク側板、６ａはウエザーフードテープ１が接するタンク側板位置、６ｂはウエザーフードテープ１を貼着するタンク側板位置、７はウエザーフード、７ａはウエザーフード７の端部近傍位置、８は下塗り剤、９はルーフプレート（浮動屋根板）である。
【００１０】
即ち、本発明のウエザーフードテープ１はゴムシート又はプラスチックフィルムの基材２と該基材の裏面に設けたゴムそして／又は熱可塑性樹脂を主成分とするシーラント層３よりなるが、その形状は例えば図１に示すようにシーラント層３が該基材２の裏面の両端部２ａ，２ｂに長手方向に連続的に設けられるか、又は図２に示すように該基材２の裏面の一方の端部２ａにのみ長手方向に連続的に設けられるか、もしくは図３に示すように該基材２の裏面の一方の端部２ａに長手方向に連続的にかつ他方の端部２ｂに長手方向に間欠的に設けられる形状を有している。
【００１１】
ここにおいて、基材２に用いるゴムシートは、耐候性に優れる天然ゴム又はＩＲ，ＥＰＲ，ＥＰＤＭ，ＢＲ，ＩＩＲ，ＣＲ，ＮＢＲ，塩素化ポリエチレン，シリコーンゴム等の合成ゴム又はスチレン系，ウレタン系，ポリエステル系，弾性塩ビ等の熱可塑剤ゴム，またはこれらのいずれかの２種以上のブレンド物を主成分とし、要すればこれに吸水性及び透明性を損なわない程度のホワイトカーボン，クレー，タルク，炭酸マグネシウム，硫酸バリウム，炭酸カルシウム，亜鉛華，ハイスチレン樹脂，クマロンインデン樹脂，フェノール系樹脂，石油系樹脂などの無機，有機充填剤，ＣＲ，ＩＲなどの液状ゴム，パラフィン系，ナフテン系，アロマチック系のオイル，フタル酸系，エステル系の可塑剤，植物油などの軟化剤を適宜選択して配合し、さらに要すれば、トリクレジルフォスフェードなどのリン酸エステル系難燃剤，塩素化パラフィン，パークロルペンタシクロデカンなどの塩素系難燃剤及び硫黄，パーオキサイド等の架橋剤，ジエチレングルコール，ジエチレングリコールエステル等の２価のアルコール類又は２価のアルコールのエステル化物からなる活性剤及び促進剤，老防を適宜選択して加え、シーティングして得ることができる。
【００１２】
なお、ゴムシートはあらかじめ加硫させた加硫ゴムシートであっても良いし、施工後自然加硫する自然加硫シートであってもよいし、加硫を要しない非加硫又は未加硫ゴムシートであってもよいが、その吸水率（ＪＩＳ  Ｋ−６９１１）が最大でも０．５％以下であるように設計される。これは、雨水の浸入により、ゴムシートの重量や面積が増加した場合、立直したタンク側板６に貼着されるウエザーフードテープ１の剥落を招く恐れがあり、これを防止するためである。
【００１３】
またこれらの、ゴムシートを構成するゴムと充填剤、軟化剤、難燃剤、加硫剤活性剤、促進剤、老防等の充填材料の比率は、特に限定されるものではないが、好適な透明性を得る配合組成比率としてはゴム１００ＰＨＲに対し、充填材料  ５０ＰＨＲ以下である。このうち良好な難燃性を得るための難燃剤の添加量はゴム１００ＰＨＲに対し、１０〜３０ＰＨＲである。
【００１４】
即ち難燃剤が１０ＰＨＲ以下の場合は十分な難燃性をゴムシートに与えることができず、３０ＰＨＲ以下では添加過多によるゴムシート表面へのブリード、ブルームが起こる恐れがあり、シーラント層３との接着不良、およびシーラント層３への移行などの問題があり好ましくない。
【００１５】
またゴムシートに透明性を要求する場合には、充填材料のうち充填剤が４０ＰＨＲ以上の場合は、透明性が低下する恐れがあり好ましくない。さらに軟化剤が４０ＰＨＲ以上でもゴムシートの難燃性を阻害すると共にブリード等により経時的透明度が低下するのでさけなければならない。
【００１６】
次に本発明に用いるプラスチックフィルムの基材２としては、ＰＥ、ＰＥＴ、ＰＰ、ナイロン、ＰＶＣ等の軟質フィルムが使用される。フィルムの厚さは５０μｍ〜５００μｍがよい。又、吸水率（ＪＩＳ  Ｋ−６９１１）は最大でも０．５％以下のものを用いる。吸水率（ＪＩＳ  Ｋ−６９１１）を０．５％以下とするわけは、吸水によるシーラント層３との剥離を防止し、立直したタンク側板６からの剥落をまぬがれるためである。フィルムの厚さを５０μｍ〜５００μｍとするわけは、一つは透明性保持の点からであり、もう一つは耐候性保持の点からである。
【００１７】
尚、フィルムには要すればリン系、ハロゲン系、フッ素系等の難燃剤を適宣配合したフィルムを用いてもよい。
【００１８】
一方、本発明ウエザーフードテープを構成するもう一つの主材料たるシーラント層３はＮＲ，ブチルゴム，ＥＰＲ，ＥＰＴ，ＢＲ，ＩＲ，ＳＢＲ，ウレタンゴム，シリコーンゴム，ＰＶＣ，ＰＥ，ＳＩＳ，ＳＢＳ，ＳＩＢＳ，ポリイソブチレン，アタクチィックポリプロピレン等の金属腐食のない天然ゴム、又は合成ゴム又は熱可塑性樹脂の単体もしくはこれらのブレンド物からなるポリマーを主成分とし、これに通常シーラントの充填物として知られるカーボンブラック、珪酸および珪酸塩類，クレータルク類，炭酸塩類，アルミナ水和物、チタン白，硫酸バリウム、亜鉛華等の無機補強剤充填剤、ハイスチレン樹脂、クマロンインデン樹脂，フェノール系樹脂，石油系樹脂，リグニン，変性メラミン樹脂等の有機補強剤充填剤，ＣＲ，ＩＲ等の液状ゴム，植物油系，鉱物系軟化剤，可塑剤，フェノールアセチレン樹脂，クマロンインデン樹脂，フェノールホルムアルデヒド系樹脂、キシレンホルムアルデヒド樹脂、テルペンフェノール系樹脂、ロジンおよびロジン誘導体，石油系樹脂，ポリブデン，ポリテルペン，パインタール，シリコーンオイルなどの粘結剤，タンニン酸，ペトロラタム，ピッチ等の防食剤を適宣選択し、配合して得られる。
【００１９】
また、シーラント層３は、ホウ酸亜鉛，酸化アンチモン，水酸化アルミニウムなどの無機化合物難燃剤，トリクレジルフォスフェートなどのリン酸エスタル系難燃剤，塩化パラフィン，パークロルペンタシクロデカンなどの塩素系難燃剤等を加えて難燃化することもできる。
【００２０】
なお、この発明のシーラント層３は、施工時の作業性および四季を問わず立直、湾曲したタンク側板６に貼着して少なくとも３日間以上、好ましくは６ヶ月間以上剥落することがないようにするという接着性の保持の面から、その厚さが０．５ｍｍ〜５．０ｍｍそしてその針入度が５０ｍｍ〜２５０ｍｍに設計されており、さらに−１０℃〜＋５０℃の温度範囲において１．０〜１０ｋｇｆ／２５ｍｍ幅（対スチール）の粘着力（ＪＩＳ  Ｚ−０２３７）を保持するように設計されている。
【００２１】
次に図４、図５に基づいて本発明を説明すれば、図４に示す浮動屋根形の屋外貯蔵タンク５にあっては、ルーフプレート９とタンク側板６との隙間をシールする目的から、ウレタンゴムなどのウエザーシール１０が用いられる。また、このウエザーシール１０を保護する目的からウエザーフード７がルーフプレート９に取り付けられウエザーシール１０を覆っている。
【００２２】
しかし、該屋外貯蔵タンク５の検査、掃除、修理等のタンク使用停止期間中は、通常ウエザーシール１０は取り外される。このため、ルーフプレート９とタンク側板６との間には隙間が生じ、雨天の時などはこの隙間から雨水が侵入し、屋外貯蔵タンク５の内部を水浸しにしてしまう。
【００２３】
本発明は、この問題を解決するためになされたものであって、図５に示すようにルーフプレート９に取り付けられたウエザーフード７が傾斜して接するタンク側板位置６ａより少なくとも上方のタンク側板位置６ｂと該ウエザーフード７の端部近傍位置７ａまでの間を上部からウエザーフードテープ１で覆って、ルーフプレート９とタンク側板６との間の隙間からの雨水の浸入を防止せんとするものである。
【００２４】
さらに本発明は、これも第５図に示すようにウエザーフードテープ１を貼着するに際して、あらかじめタンク側板６のウエザーフード貼着位置６ｂに、テープ貼着時にはプライマーとして働き、引き剥がし時にはタンク側板６から糊残りせず容易にウエザーフードテープ１を引き剥がせるレリーズとして働く下塗り剤８を塗布して、その上からウエザーフードテープ１を貼着することにより、ウエザーフードテープ１のタンク側板６からの引き剥がしを容易にして、工期を短縮することによりタンク使用停止期間の短縮化を図らんとするものである。
【００２５】
ここにおいて本ウエザーフードテープ１は、下塗り剤８の有無にかかわらず立直、湾曲したタンク側板６に貼着して、少なくとも３日間以上好ましくは６カ月間以上剥落することのない接着性を有することが必要である。
【００２６】
更に、屋外貯蔵タンク５の内部の掃除などではタンク内部に入って作業を行うため、ウエザーフードテープ１はその基材２がタンク内部への採光を妨げない程度の透明性を有することが望ましい。又この場合、基材２の裏面に設けられるシーラント層３は、立直、湾曲したタンク側板６に貼着して、少なくとも３日間以上好ましくは６カ月間以上剥落するとのない接着性を有せねばならないことを十分配慮した上で、基材２の一方の端部２ａもしくは両端部２ａ，２ｂにのみ設けて、タンク内部への採光が妨げられないように形成する。
【００２７】
一方、ウエザーフードテープ１をタンク側板６とウエザーフード７との間に施工するにあたっては、ルーフプレート９に取り付けられたウエザーフード７が、傾斜して接するタンク側板位置６ａから少なくとも該位置より上方のタンク側板位置６ｂまでの間のタンク側板６の錆汚れをあらかじめワイヤブラシ等で落とす。
【００２８】
次いで、ウエザーフードテープ１を貼着する際にはプライマーとして働き、該ウエザーフードテープ１の取り外しに際してはタンク側板６の貼着面上に糊残りすることなく、該ウエザーフードテープ１をタンク側板６より極めて容易に剥がすことのできるレリーズとして働く下塗り剤８，即ち天然ゴム、合成天然ゴム又はＳＩＳ，ＳＢＳ，ＳＥＢＳ，ＳＩＢＳ等のスチレン系熱可塑性を、ゴム又はこれらのいずれか２種以上のブレンド物に、アクリロニトリル，ＭＭＡ，ＭＡなどのアクリル酸エステル，メタクリル酸エステル及びそれらの誘導体の重合体からなるアクリル酸樹脂をグラフト重合したプライマー１００重量部にジメチルポリシロキサン又は、メチルフェニルポリシロキサン等を主成分とするオイル型シリコーン離形剤２０〜１重量部を加えた下塗り剤８を当該部位に塗布する。
【００２９】
次に、裏面長尺方向に連続的にシーラント層３を有するウエザーフードテープ１の片側を下塗り剤８上に貼着すると共に該ウエザーフードテープ１のもう一方の片側をタンク側板６に接するウエザーフード７の端部近傍位置７ａに垂れ下げ、要すれば垂れ下げた該ウエザーフードテープ１をウエザーフード７の端部近傍位置７ａに連続的に又は間欠的に貼着してしっかりと押さえタンク側板６とウエザーフード７の端部近傍位置７ａとの間を上部から覆ってルーフプレート９とタンク側板６との間の隙間からの雨水の浸入を防止する。
【００３０】
最後に、屋外貯蔵タンク５の検査、掃除、修理等の作業終了の経時後において、貼着部位から上記ウエザーフードテープ１を剥離するが、この際ウエザーフードテープ１の糊がタンク側面６に残っていないかを検査する。
【００３１】
尚、本施工方法は屋外貯蔵タンク５に石油等の内容物が入った状態で、内容物を長期間備蓄しておくような場合にも利用できるが、この場合はウエザーシール１０は取り付けたまま施工する。またこのような長期間の備蓄時には、単にタンク内部への雨水の浸入を防止するだけでなく、地震等タンクの揺れにより内容物が外部へ漏洩するのを防ぐという付加的な効果も有する。
【００３２】
更に付言すれば、プライマーとシリコーン離形剤の混合比はタンク側板６の平滑状態により決定される。即ち、タンク側板６の平滑状態が悪い場合は、シリコーン離形剤を比較的少なめに配合する。逆に屋外貯蔵タンク５が新しく平滑状態が良好な場合は、比較的多めに配合すると良い。但し、実験によれば２０部以上のシリコーン離形剤の添加は下塗り剤８のレリーズ効果を強めすぎて、ウエザーフードテープ１がタンク側板６より剥落する恐れがあるので好ましくなく、１部以下ではレリーズ効果を得ないか極めて弱いので好ましくない。
【００３３】
即ち、プライマー中のシリコーン離形剤は経時によりプライマー表面に移行し、レリーズとして働きを示すようになる。この場合、シリコーン離形剤の添加が多いとウエザーフードテープ１との界面により多く移行してしまい、立直、湾曲したタンク側板６に貼着されたウエザーフードテープ１は、自重で剥落してしまう。逆に、シリコーン離形剤の量が少ないと離形剤はなかなかプライマー表面に移行せず、移行しても部分的な移行となり、ウエザーフードテープ１の剥離作業時にタンク側板６上に部分的なシーラント層３の糊残りを生じる恐れがある。
【００３４】
【実施例】
実施例１．
厚さ１．０ｍｍ、幅３５０ｍｍ、長さ１０ｍの透明ゴムシート基材の裏面の両方の端部に幅５０ｍｍ、厚さ２ｍｍのシーラント層を設けたウエザーフードテープ２３枚を用いて６万５千キロリットルの浮動屋根形屋外貯蔵石油タンクの側板６とウエザーフード７との間の隙間を覆う施工工事（下塗り剤処理含む）を行い、テープ貼着期間中及び６カ月後の状態を観察したところ表１のごとき結果を得た。
【００３５】
【表１】
0003895790.tif 000002
【００３６】
0003895790.tif 000003
【００３７】
0003895790.tif 000004
【００３８】
上記表１に見られるごとく本発明ウエザーフードテープは、６カ月の貼着期間中においてタンク側板６からの剥落が無く、タンク内部への雨水の浸入も無かった。また、６カ月後のタンク側板６からのテープ剥離作業においてもタンク側板６への糊残りは無く、極めて容易な作業性を有していた。
【００３９】
実施例２．
厚さ０．３５ｍｍ、幅３３０ｍｍ、長さ１０ｍのビニルシートの基材の裏面の一方の端部に幅５０ｍｍ、厚さ２ｍｍのシーラント層を設けたウエザーフードテープ２３枚を用いて６万５千キロリットルの浮動屋根形屋外貯蔵石油タンクの側板６とウエザーフード７との間の隙間を覆う施工工事（下塗り剤処理含む）を行いテープ貼着期間中及び６カ月後の状態を観察したところ表２の結果を得た。
【００４０】
【表２】
0003895790.tif 000005
【００４１】
上記表２に見られるごとく、本発明ウエザーフードテープは６カ月の貼着期間中においてタンク側板からの剥落が無く、タンク内部への雨水の浸入も無かった。又、６カ月後のタンク側板からのテープ剥離作業においても、タンク側板へ糊残りせず極めて容易な作業性を有していた。
【００４２】
【発明の効果】
以上のごとく、本発明は検査、掃除、修理等でのタンク使用停止期間中における浮動屋根形屋外貯蔵タンクの浮動屋根とタンク側板との間からタンク内部への雨水の浸入を防止できると共にタンクの検査、掃除、修理等の作業終了後には、当該貼着部位から該ウエザーフードテープを容易に引き剥がすことができて作業時間の短縮化が図れるという効果が得られる。
【図面の簡単な説明】
【図１】本発明のウエザーフードテープの実施態様を示す一部破断斜視図である。
【図２】本発明のウエザーフードテープの実施態様を示す一部破断斜視図である。
【図３】本発明のウエザーフードテープの実施態様を示す一部破断斜視図である。
【図４】浮動屋根形屋外貯蔵タンクの縦断面図である。
【図５】図４の部分拡大斜視図である。
【符号の説明】
１．  ウエザーフードテープ
２．  基材
２ａ．基材の一方の端部
２ｂ．基材の他方の端部
３．  シーラント層
４．  離型紙
５．  屋外貯蔵タンク
６．  タンク側板
６ａ．ウエザーフードが接するタンク側板位置
６ｂ．ウエザーフードテープを貼着するタンク側板位置
７．  ウエザーフード
７ａ．ウエザーフード端部近傍位置
８．  下塗り剤
９．  ルーフプレート
１０．  ウエザーシール
【図１】
0003895790.tif 000006
【図２】
0003895790.tif 000007
【図３】
0003895790.tif 000008
【図４】
0003895790.tif 000009
【図５】
0003895790.tif 000010